(57)【要約】      （修正有）   【課題】本考案では、臀溝をはっきりさせ、ヒップを高く、自然な桃型のヒップに補整し、かつ着用感も快適な臀部を覆うガードルなどのファンデーション下着を提供する。  【解決手段】臀部を覆うファンデーション下着において、クロッチからウエスト部にかけて臀部にY状の切り替えを設ける。なお、Yの二股に分かれる点ｘ１は、臀れつ上部終点付近に設ける。Y状の切り替えに衣類表面または裏面に弱伸度の細幅テープをY状にウエスト部からクロッチｄまで縫製する。このようなY状テープ構造ｙをもつことで、臀れつ部への過度なくい込みを防ぎ、臀部を高く持ち上げる機能が向上する。この構造の補整効果をさらに高めるために、臀部下部と大腿部内側部にパワーネットを用いた補強布e1、e2、f1、f2をc1、c2にそれぞれ縫合した。  【選択図】図１
0003133946.tif 000002
【実用新案登録請求の範囲】
【請求項１】
ヒップの高さと丸みを補整し自然な桃型のヒップを実現するためにウエストラインから臀れつを通りクロッチ部まで続き、二股に分かれる部分が臀れつ上部終点付近に存在するY状の切り替えを有するファンデーション下着
【請求項２】
請求項１記載の衣類の効果をさらに発揮するためにウエストライン部のパーツを他のパーツよりもハイパワーにするために生地を2重にするあるいは他の生地を追加し、ヒップを高く保つ機能を持つファンデーション下着
【請求項３】
請求項１および請求項２記載の衣類を臀れつに沿わせるために、弱伸度で幅1.5ｃｍ以下のテープを請求項１のY状の切り替え部分に縫製したファンデーション下着
【請求項４】
請求項１および請求項２および請求項３記載の衣類の臀部を持ち上げ臀部と大腿部の境界を明確にするために臀部下部と大腿部内側に補強を加えたファンデーション下着
【考案の詳細な説明】
【技術分野】
【０００１】
本考案は、臀部を被覆するファンデーション下着において臀部の高さや丸みを整え自然な桃型に臀部を補整することを目的とし、ウエストラインから臀れつ部を通りクロッチまで続き、二股に分かれる部分が臀れつ上部終点付近に存在するY型の切り替えおよびテープ構造を有する衣類に関するものである。
【背景技術】
【０００２】
従来のガードルなど臀部を被覆し補整を目的とした衣類では、不自然な形に補整したものや補整の効果が十分に発揮されず臀部の丸みがつぶれてしまう問題があった。また、桃型のヒップをつくることを目的とし臀れつ部にI型のテープを有するものでは、必要以上のくい込みがあり着用感に優れない、細いクロッチ構造のために臀部下部や内腿の補整力に乏しいなどの問題があった。さらに桃型のヒップをつくる目的としウエスト部からクロッチ部にかけてT型の切り替え構造もある。しかし、これは、Tのたて線部の縫製が臀れつ部でしわとなりやすく着用感が優れない問題があった。
【考案の開示】
【考案が解決しようとする課題】
【０００３】
本考案では、臀溝をはっきりさせ、ヒップを高く、臀れつをつぶさず自然な桃型のヒップに補整し、かつ着用感も快適なファンデーション下着の開発を目的とした。
【課題を解決するための手段】
【０００４】
臀部を覆うファンデーション下着において、ウエストラインから臀れつを通りクロッチにかけてY状の切り替えを設ける（図1ｙ）。Yの二股に分かれる点ｘ１は、臀れつ上部終点付近に設ける。臀部にあるc1、c2は、ヒップの丸みを引き出しさらに臀れつに自然に沿うようx1からx2までギャザーを入れ縫製する。このとき朱子テープを縫い付け伸度を止める。ｘ1は臀れつ上部終点付近とする。ｘ１からウエストラインまでは、伸度を止めず縫製する。このことにより、ファンデーション下着着用中の不自然なヒップ形状にならず、臀れつのある桃型ヒップをつくることができる。
【０００５】
本考案に関わるファンデーション下着のウエスト部パーツ（a1、a2、b）は、他の部分よりもハイパワーにするため生地を二重にするあるいは他の生地を縫合しすることで、衣類のずり下がりを防ぎヒップをより高く保つ機能を付加できる。
【０００６】
本考案に関わるファンデーション下着のY状の切り替え部分の衣類表面または裏面に弱伸度の幅1.5ｃｍ以下のテープをY状にウエスト部からクロッチｄまで縫製する。Yの二股に分かれた部分は伸度を残し、x1からx2は伸度を止める。このようなY状テープ構造ｙをもつことで、臀部を高く持ち上げる機能が向上する。また、くい込みを防ぎ着用感の向上も図られる。
【０００７】
さらに本考案に関わるファンデーション下着の臀部下部と大腿部内側部にパワーネットの補強布e1、e2、f1、f2を縫製する（図２）。これにより、細いクロッチ構造の欠点である臀部下部および内腿の補整力不足を克服できる。以上の考案により自然な桃型ヒップを実現し、着用感も快適なファンデーション下着が製造できる。
【考案の効果】
【０００８】
本考案のファンデーション下着は、ヒップアップを目的とした従来のガードルに比べ、臀溝、臀れつをくっきりさせ、さらに不必要な臀れつ部へのくい込みやガードルのズレを防ぐことができる。これによりヒップを自然な桃型に補整し着用感も快適なファンデーション下着が実現できる。
【考案を実施するための最良の形態】
【０００９】
本考案のファンデーション下着を製造するにあたり身生地は280デニール（310デシテックス）程度のはりのある素材を用い、サイズを少し緩めにつくることが自然な桃型ヒップを実現しかつ着用感も快適なファンデーション下着実現に最適である。
【実施例】
【００１０】
280デニール（310デシテックス）のパワーネットを用い、ウエストラインから臀れつを通りクロッチにかけてY状の切り替えを設けた（図1ｙ）。Yの二股に分かれる点ｘ１は、臀れつ上部終点付近に位置する臀部を覆うファンデーション下着を設計した。まずa１とｃ１、a２とｃ２を縫製する。臀部にあるc1、c2は、ヒップの丸みを引き出しさらに臀れつに自然に沿うよう工夫し縫製した。工夫とは、x1からx2までギャザーを配置し、このとき朱子テープを付け伸度を止める。さらにｃ１とｂおよびｃ２とｂを縫製する、ｘ１からウエストラインまでは、伸度を止めない仕様にする。このことにより、ファンデーション下着着用中の不自然なヒップ形状にならず、自然な桃型ヒップをつくる設計ができる。
【００１１】
本実施例では、（００１０）に述べた設計のもと、ウエスト部パーツ（a1、a2、b）は、280デニール（310デシテックス）のパワーネットに加え、280デニール（310デシテックス）のサテンネットを用いた二重生地とし、他の部分よりもハイパワーな設計とし、さらに幅２.0ｃｍのエラステープをウエストラインに縫い付け、衣類のずり下がりを防ぎヒップを高く保つ機能を付加した。
【００１２】
本考案実施のファンデーション下着のY状の切り替え部分の衣類裏面に弱伸度の幅1.0ｃｍのストラップテープをY状にウエスト部からクロッチｄまで縫製した。Yの二股に分かれた部分は伸度を残し、x1からx2は伸度を止める。このようなY状テープ構造ｙをもつことで、臀部を高く持ち上げる機能が向上する。また、くい込みを防ぎ着用感の向上が図られた。
【００１３】
さらに本考案実施のファンデーション下着の臀部下部と大腿部内側部に図2に示す通り280デニール（310デシテックス）パワーネットを補強布を用いたe1、e2、f1、f2をｃ１、ｃ２にそれぞれ縫合する。これにより、細いクロッチ構造の欠点である臀部下部および内腿の補整力不足を克服できる。以上の考案の実施により自然な桃型ヒップを実現し、着用感も快適なファンデーション下着を製造した。
【産業上の利用可能性】
【００１４】
ストレッチ素材を利用したパンツスタイルが定着し、スカートスタイルよりもヒップの形状をより自然で美しく整えたいというニーズが年代を問わず高い。本考案のファンデーション下着は、こうしたニーズを満たすものである。補整力だけではなく臀れつ部への過剰なくい込みを抑制し、ズレにくく工夫した本考案のファンデーション下着は、補整力がありきごこちもよい理想的なファンデーション下着として市場に受けいれらると示唆される。
【図面の簡単な説明】
【００１５】
【図１】図1は本考案を利用したガードルの全体構造の背面図である。
【図２】図2は図1の考案ガードルのパターン配置図である
【符号の説明】
【００１６】
a1  ウエストサイドパーツ
a2  ウエストサイドパーツ  
b   ウエストバックパーツ
c1  ヒップパーツ
c2  ヒップパーツ
d   クロッチ
e1  臀部下部補強パーツ
e2  臀部下部補強パーツ
f1  内腿補強パーツ
f2  内腿補強パーツ
g   フロントパーツ
x1  ギャザー止まり
x2  ギャザー止まり
y   Y状テープ
【図１】
0003133946.tif 000003
【図２】
0003133946.tif 000004
【手続補正書】
【提出日】平成19年2月22日(2007.2.22)
【手続補正１】
【補正対象書類名】実用新案登録請求の範囲
【補正対象項目名】全文
【補正方法】変更
【補正の内容】
【実用新案登録請求の範囲】
【請求項１】
ヒップの高さと丸みを補整し自然な桃型のヒップを実現するためにウエストラインから臀れつを通りクロッチ部まで続き、二股に分かれる部分が臀れつ上部終点付近に存在するY状の切り替えを有するファンデーション下着
【請求項２】
ヒップの高さと丸みを補整し自然な桃型のヒップを実現するためにウエストラインから臀れつを通りクロッチ部まで続き、二股に分かれる部分が臀れつ上部終点付近に存在するY状の切り替えを有することを特徴とする請求項１記載のファンデーション下着のウエストライン部のパーツを他のパーツよりもハイパワーにするために生地を2重にするあるいは他の生地を追加し、ヒップを高く保つ機能を持つファンデーション下着
【請求項３】
請求項１または請求項２記載の衣類を臀れつに沿わせるために、弱伸度で幅1.5ｃｍ以下のテープを請求項１のY状の切り替え部分に縫製したファンデーション下着
【請求項４】
請求項１〜３記載のいずれか一項に記載の衣類の臀部を持ち上げ臀部と大腿部の境界を明確にするために臀部下部と大腿部内側に補強を加えたファンデーション下着
【手続補正書】
【提出日】平成19年5月16日(2007.5.16)
【手続補正１】
【補正対象書類名】実用新案登録請求の範囲
【補正対象項目名】全文
【補正方法】変更
【補正の内容】
【実用新案登録請求の範囲】
【請求項１】
ヒップの高さと丸みを補整し自然な桃型のヒップを実現するためにウエストラインから臀れつを通りクロッチ部まで続き、二股に分かれる部分が臀れつ上部終点付近に存在するY状の切り替えを有するファンデーション下着
【請求項２】
ヒップの高さと丸みを補整し自然な桃型のヒップを実現するためにウエストラインから臀れつを通りクロッチ部まで続き、二股に分かれる部分が臀れつ上部終点付近に存在するY状の切り替えを有することを特徴とする請求項１記載のファンデーション下着のウエストライン部のパーツを他のパーツよりもハイパワーにするために生地を2重にするあるいは他の生地を追加し、ヒップを高く保つ機能を持つファンデーション下着
【請求項３】
請求項１または請求項２記載のファンデーション下着を臀れつに沿わせるために、弱伸度で幅1.5ｃｍ以下のテープを請求項１のY状の切り替え部分に縫製したファンデーション下着
【請求項４】
請求項１〜３記載のいずれか一項に記載のファンデーション下着の臀部を持ち上げ臀部と大腿部の境界を明確にするために臀部下部と大腿部内側に補強を加えたファンデーション下着